(57)【特許請求の範囲】
【請求項１】
複数の発光領域を有するバックライトを用いて表示パネルを照射し、映像信号に基づく映像を表示する表示装置において、
前記表示パネルの表示領域のうちの映像が無い無映像領域を判別する判別手段と、
前記無映像領域に対応する前記バックライトの発光領域を消灯する消灯手段と、
前記無映像領域に該当しない前記バックライトの発光領域の輝度を低くするように調整する調整手段と
を備え、
前記調整手段は、
前記無映像領域の面積が大きくなるに従って、前記無映像領域に該当しない前記バックライトの発光領域の輝度を低く調整するようにしてあること
を特徴とする表示装置。
【請求項２】
前記調整手段は、
表示領域に占める前記無映像領域の面積比が大きくなるに従って、前記無映像領域に該当しない前記バックライトの発光領域の輝度を低く調整するようにしてあること
を特徴とする請求項１に記載の表示装置。
【請求項３】
前記映像信号のうちの無映像を示す信号期間を検出する検出手段をさらに備え、
前記判別手段は、
前記検出手段によって検出された信号期間に基づいて、前記表示パネルにおける無映像領域を判別するようにしてあること
を特徴とする請求項１又は２に記載の表示装置。
【請求項４】
映像信号に基づく映像の縦方向及び／又は横方向の映像サイズの設定を受け付ける受付手段と、
該受付手段にて受け付けた映像サイズに基づいて、前記映像信号を信号処理する信号処理手段と
をさらに備え、
前記判別手段は、
前記受付手段にて受け付けた映像サイズに基づいて、前記表示パネルにおける無映像領域を判別するようにしてあること
を特徴とする請求項１又は２に記載の表示装置。
【請求項５】
前記バックライトの各発光領域間を仕切るための仕切部材を備えること
を特徴とする請求項１から請求項４のいずれか１つに記載の表示装置。
【発明の詳細な説明】
【技術分野】
【０００１】
本発明は、複数の発光領域を有するバックライトを用いて表示パネルを照射し、映像信号に基づく映像を表示する表示装置に関し、より具体的には、表示領域の上下端部又は左右端部を黒表示してアスペクト比の異なる映像を表示する表示装置に関する。
【背景技術】
【０００２】
近来、パーソナルコンピュータやテレビ受信機などの軽量化及び薄型化によってディスプレイも軽量化及び薄型化が要求されており、このような要求に従って陰極線管（ＣＲＴ）の代わりに液晶表示装置（ＬＣＤ）のようなフラットパネル型ディスプレイが実用化されている。フラットパネル型ディスプレイは、近年ではその表示品位を向上するための各種技術が盛んに開発されている。
【０００３】
ＬＣＤは、二つの基板の間に注入されている異方性誘電率を有する液晶層に電界を印加し、この電界の強さを調節して基板を透過する光量を調節することによって所望の画像を表示する表示装置である。このようなＬＣＤは携帯の簡便なフラットパネル型ディスプレイのうちの代表的なものであり、この中でも薄膜トランジスタ（ＴＦＴ）をスイッチング素子として用いたＴＦＴ−ＬＣＤが主流となっている。
【０００４】
ところで、日本国内などで実施されているカラーテレビジョン放送などのＮＴＳＣ（National Television System Committee）方式では、映像の横縦比（アスペクト比）が４：３であるが、ＨＤＴＶ（High Definition Television）方式、映画などで実施されているビスタサイズと称される方式では、アスペクト比が４：３よりも横長の画面が使用されている（例えば、ＨＤＴＶ方式ではアスペクト比が１６：９である。）。
【０００５】
そこで、アスペクト比が４：３よりも横長（例えばアスペクト比１６：９）の映像コンテンツを、現行のＮＴＳＣ方式のテレビジョン受信機（アスペクト比４：３）でも受信できるように、レターボックス方式と呼ばれる表示形態が用いられている。このレターボックス方式とは、図９（ａ）に示すように、アスペクト比４：３の表示画面１００の中央部分にアスペクト比１６：９の映像部１０１を表示し、その上下部分を映像の無い無映像領域１０２とする表示形態であり、これによって、ＮＴＳＣ方式のテレビジョン受信機においても、映画ソフトなどを左右カットせず（ノートリミング）に観視することが可能となる。
【０００６】
なお、このレターボックス方式の映像信号を横長画面（アスペクト比１６：９）のワイドテレビジョン受信機で受信した場合においては、映像部分のみを表示画面全体に表示させるようにして、表示画面を有効に使用することができる。
【０００７】
また、アスペクト比４：３の画像コンテンツを、より横長（例えばアスペクト比１６：９）の表示画面を有するＨＤＴＶ方式のテレビジョン受信機（ワイドテレビジョン受信機）でも受信できるようにするため、図９（ｂ）に示すように、アスペクト比１６：９の表示画面２００の中央部分にアスペクト比４：３の映像部２０１を表示し、その左右部分を映像の無い無映像領域２０２とするサイドパネル方式と呼ばれる表示形態が知られている。
【０００８】
ところで、上述したレターボックス方式、サイドパネル方式の映像をそのまま表示パネルに表示する際、映像部のアスペクト比と表示画面のアスペクト比によっては、画面の上下部分又は左右部分に無映像を表示（黒表示）する必要があるが、この無映像領域に対してもバックライトは常に点灯しており、無駄な電力が消費されるという問題があった。
【０００９】
そこで、特許文献１には、液晶パネルのアスペクト比と異なるアクペクト比を有する画像を表示する際、無映像領域に対してはバックライトの点灯を自動的に停止する液晶表示装置が開示されている。
【特許文献１】特開２００４−１８４９３７号公報
【発明の開示】
【発明が解決しようとする課題】
【００１０】
特許文献１に開示されている技術は、無映像領域に対応するバックライトの発光領域を自動的に消灯することから、無駄な消費電力を削減して省エネルギーを実現することが可能となる。しかしながら、近年の地球温暖化など地球環境への配慮から省エネルギーへの消費者の関心が高まり、バックライト系の消費電力をさらに削減する技術が要望されていた。
【００１１】
本発明者は、上述したレターボックス方式及びサイドパネル方式による映像表示が人間に及ぼす視覚的印象について研究を行なった結果、無映像領域（黒オビ）により表示領域の総輝度が下がることから、視覚上、映像領域の明るさが上昇することになり、無映像領域の面積に応じて映像領域の輝度を下げても、観視者は表示映像に特別の違和感を持たないとの知見を得た。つまり、逆に、表示映像が無映像領域によって強調されることから、表示映像を明るく感じてしまう。これは、暗環境で映像を観視した場合、明環境では普通に感じていた映像を眩しく感じることと同様である。
【００１２】
本発明は、この知見を得てなされたものであり、無映像領域に対応するバックライトの発光領域を消灯し、さらに無映像領域に該当しない映像領域に対応するバックライトの発光領域の輝度を調整することにより、バックライト系の消費電力を削減することができる表示装置の提供を目的とする。
【課題を解決するための手段】
【００１３】
本発明に係る表示装置は、複数の発光領域を有するバックライトを用いて表示パネルを照射し、映像信号に基づく映像を表示する表示装置において、前記表示パネルの表示領域のうちの映像が無い無映像領域を判別する判別手段と、前記無映像領域に対応する前記バックライトの発光領域を消灯する消灯手段と、前記無映像領域に該当しない前記バックライトの発光領域の輝度を低くするように調整する調整手段とを備え、前記調整手段は、前記無映像領域の面積が大きくなるに従って、前記無映像領域に該当しない前記バックライトの発光領域の輝度を低く調整するようにしてあることを特徴とする。
【００１４】
本発明にあっては、表示パネルの表示領域のうちの映像が無い無映像領域を判別する。そして、無映像領域に対応するバックライトの発光領域を消灯するとともに、無映像領域に該当しないバックライトの発光領域の輝度を低くするように調整する。無映像領域の面積が大きくなるに従って、無映像領域に該当しないバックライトの発光領域の輝度を低く調整する。無映像領域の面積により表示領域の総輝度が決定されることから、無映像領域の面積に応じて輝度を調整することにより、表示映像に特別の違和感を観視者に持たせないようにする。
これにより、発光の必要のない無映像領域に対応するバックライトの発光領域を消灯して消費電力を削減することができるとともに、無映像領域を除く表示領域、すなわち映像領域に対応するバックライトの発光領域の輝度を下げることにより、さらなる消費電力の削減が可能となる。
【００１７】
本発明に係る表示装置は、前記調整手段は、表示領域に占める前記無映像領域の面積比が大きくなるに従って、前記無映像領域に該当しない前記バックライトの発光領域の輝度を低く調整するようにしてあることを特徴とする。
【００１８】
本発明にあっては、表示領域に占める無映像領域の面積比が大きくなるに従って、無映像領域に該当しないバックライトの発光領域の輝度を低く調整する。無映像領域の面積が同じであっても、表示領域の大小により、観視者に及ぼす視覚的印象が異なることから、表示領域に占める無映像領域の面積比が大きくなるに従って、輝度を低く調整することにより、表示領域の大きさによらず、表示映像に特別の違和感を観視者に持たせないようにする。
【００１９】
本発明に係る表示装置は、前記映像信号のうちの無映像を示す信号期間を検出する検出手段をさらに備え、前記判別手段は、前記検出手段によって検出された信号期間に基づいて、前記表示パネルにおける無映像領域を判別するようにしてあることを特徴とする。
【００２０】
本発明にあっては、映像信号のうちの無映像を示す信号期間を検出し、検出された信号期間に基づいて、表示パネルにおける無映像領域を判別する。映像の元となる映像信号から無映像領域を判別することから、映像信号に含まれる本当の映像を無映像領域として識別することはなく、映像をノートリミングすることなく表示することができる。
【００２１】
本発明に係る表示装置は、映像信号に基づく映像の縦方向及び／又は横方向の映像サイズの設定を受け付ける受付手段と、該受付手段にて受け付けた映像サイズに基づいて、前記映像信号を信号処理する信号処理手段とをさらに備え、前記判別手段は、前記受付手段にて受け付けた映像サイズに基づいて、前記表示パネルにおける無映像領域を判別するようにしてあることを特徴とする。
【００２２】
本発明にあっては、映像信号に基づく映像の縦方向及び／又は横方向の映像サイズの設定を受け付け、受け付けた映像サイズに基づいて映像信号を信号処理する。そして、受け付けた映像サイズに基づいて、表示パネルにおける無映像領域を判別する。映像信号のうちの無映像を示す信号期間を映像信号から検出する処理が不要であり、また構成を極めて簡単にすることができる。
【００２３】
本発明に係る表示装置は、前記バックライトの各発光領域間を仕切るための仕切部材を備えることを特徴とする。
【００２４】
本発明にあっては、バックライトの各発光領域間を仕切るための仕切部材を設ける。この仕切部材によって、バックライトを構成する各発光領域が独立した状態で、表示パネルの各表示領域を照射する。また、仕切部材によって、他の発光領域からの光照射を防止して、各表示領域に照射される輝度を均一にする。したがって、表示領域に対して効率的にバックライト光を照射することが可能である。
【発明の効果】
【００２５】
本発明によれば、無映像領域に対応するバックライトの発光領域を消灯するとともに、無映像領域に該当しないバックライトの発光領域の輝度を調整する構成としたので、発光の必要のない無映像領域のバックライトの発光領域を消灯して消費電力を削減することができるとともに、無映像領域を除く表示領域、すなわち映像領域の輝度を下げることにより、さらなる消費電力の削減が可能となる。また、無映像領域の面積により表示領域の総輝度が決定されることから、無映像領域の面積に応じて輝度を調整することにより、表示映像に特別の違和感を観視者に持たせないようにすることができる。さらに、表示領域に占める無映像領域の面積比に基づいて輝度を調整することにより、表示領域の大きさによらず、表示映像に特別の違和感を観視者に持たせないようにする。
【００２６】
本発明によれば、映像信号から、表示パネルにおける無映像領域を判別する構成としたので、映像信号に含まれる本当の映像を無映像領域として識別することはなく、映像をノートリミングすることなく表示することができる。
【００２７】
本発明によれば、映像の縦方向及び／又は横方向のサイズ設定を受け付け、受け付けた映像サイズに基づいて、表示パネルにおける無映像領域を判別する構成としたので、映像信号のうちの無映像を示す信号期間を映像信号から検出する処理が不要となり、構成を極めて簡単にすることができる。
【００２８】
本発明によれば、バックライトの各発光領域間を仕切るための仕切部材を設ける構成としたので、バックライトを構成する各発光領域が独立した状態で、表示パネルの各表示領域を照射することができる。また、仕切部材によって、他の発光領域からの光照射を防止して、各表示領域に照射される輝度を均一にすることができ、表示領域に対して効率的にバックライト光を照射することができる等、優れた効果を奏する。
【発明を実施するための最良の形態】
【００２９】
以下、本発明をその実施の形態を示す図面に基づいて詳述する。
【００３０】
（実施の形態１）
図１は本発明の実施の形態１に係る表示装置の構成例を示すブロック図である。
本発明の実施の形態１に係る表示装置は、制御部１０、操作部１１、チューナ部１２、映像信号処理部１３、無映像信号検出部１４、液晶駆動部１５、液晶パネル１６、光源駆動部１７、バックライト装置１８などを備えている。
【００３１】
制御部１０は、具体的にはＣＰＵで構成されており、上述した各部と接続されていて、それらを制御すると共に、内蔵するＲＯＭに格納された制御プログラムに従って、種々の機能を実行する。
【００３２】
操作部１１は、表示装置を操作するための各種のファンクションキーなどを備えている。例えば、主電源の入断を行なうための電源キー、チューナ部１２による放送チャンネルを選択するためのチャンネルキー、音声の増減を指示するための音声キーなどである。
【００３３】
チューナ部１２は、例えば放送中継基地の方向に向けて配置されたアンテナに接続されており、放送中継基地から送信された映像信号のうちの特定周波数帯域の映像信号を選択して復調する機能を有する。現在、広く利用されている地上波の周波数帯域は、ＶＨＦ帯の低域（９０Ｍ〜１０８ＭＨｚ）、ＶＨＦ帯の高域（１７０Ｍ〜２２２ＭＨｚ）、ＵＨＦ帯（４７０Ｍ〜７７０ＭＨｚ）であり、この周波数帯域から、利用者によって指定された１チャネルの映像信号を選択して映像信号処理部１３へ入力する。もちろん、地上デジタル放送、衛星放送、ケーブルテレビ放送などに対応したチューナであってもよい。
【００３４】
映像信号処理部１３は、チューナ部１２によって復調された映像信号に対して各種の処理を行なう。例えば、色合いなどの画質調整の指示を受け付け、受け付けた画質調整の指示に従って映像信号に適宜の処理を行なう。
【００３５】
無映像信号検出部１４は、映像信号のうちの無映像を示す信号期間を検出する手段であり、ここでは映像信号に基づく映像の上下部分に映像が無い無映像信号が付加されているか否かを検出し、液晶パネル１６の表示領域のうちの映像が無い無映像領域を判別する。また、無映像信号検出部１４は、映像信号に無映像信号が含まれている場合に、その無映像信号によって定義される無映像領域の面積を算出する。映像信号に占める無映像信号の信号期間によって、画像を表示したときの無映像領域の面積が決定されることから、映像信号の単位時間（１フレーム）あたりの無映像信号の占有時間により、無映像領域の面積を算出することができる。
【００３６】
ＮＴＳＣ方式の場合、１フレームが１６．７ｍｓｅｃで構成されるので、１フレームに占める無映像信号の総時間を検知することによって無映像領域の面積を算出する。なお、信号には、ブランキング期間などの映像に無関係な時間が含まれていることから、この無関係な時間Ｔ１をフレーム時間Ｔ２から差し引いておく。例えば、１フレームに占める無映像信号の総時間がＴ３であると検知した場合、表示領域に占める無映像領域の面積比はＴ３／（Ｔ２−Ｔ１）である。
【００３７】
液晶駆動部１５は、映像信号処理部１３によって各種の処理がなされた映像信号に基づいて、ゲート信号及びデータ信号を生成し、ゲート信号及びデータ信号を液晶パネル１６に与えることによって液晶パネル１６を駆動する。液晶物質の光透過率は、液晶印加電圧を決めるデータ信号によって決定される。図２の液晶物質の電気光学特性に示すように、液晶パネル１６がノーマリーブラック（ＮＢ）モードである場合には、液晶層に印加する電圧を高くすることによって透過率は高くなり（図２：実線）、液晶パネル１６がノーマリーホワイト（ＮＷ）モードである場合には、液晶層に印加する電圧を高くすることによって透過率は低くなる（図２：破線）。
【００３８】
液晶パネル１６は、一対の透明板が対向配置され、その間隙内に液晶物質が封入された液晶層を有する。一方の透明板にはマトリックス状に配置されたＩＴＯ、ＮＥＳＡなどの透明性の画素電極と、画素電極への電荷の供給を制御するためのＴＦＴとが形成されており、他方の透明板にはコモン電極と呼ばれる透明性の共通電極が形成されている。ＴＦＴのゲート及びソースは、液晶駆動部１５によって入力されるゲート信号によって各画素のオン／オフが制御され、データ信号をオン期間に各画素へ印加することによって、液晶物質の電気光学特性によって決定される光透過率を制御する。
【００３９】
バックライト装置１８は、液晶パネル１６の背面に配置されており、複数の光源１８ａ，１８ａ，…からなる直下型のバックライト装置である。バックライト装置１８は、図３に示すように、一面（前面）が開口された箱形状のバックライトシャーシ３０の内面に反射シート３１が配置され、各光源１８ａ，１８ａ，…がランプクリップ３２，３２，…に把持された状態で、表示面の横方向に沿って配置されている。光源１８ａ，１８ａ，…には、例えば、寿命が長く自然光に近い白色光が発光され、発生する熱が小さい冷陰極線放電管（ＣＣＦＬ）が用いられる。
【００４０】
各光源１８ａ，１８ａ，…の間隙には仕切部材３３，３３，…が配置されており、この仕切部材３３，３３，…によって、各光源１８ａ，１８ａ，…の発光領域が独立した状態で、液晶パネル１６の各表示領域を照射する。また、仕切部材３３，３３，…によって、他の光源からの光照射を防止して、各表示領域に照射される輝度を均一にする。本例では、無映像領域となる光源群Ｒ１、及び無映像領域とならない映像領域の光源群Ｒ２が、レターボックス表示の領域と一致するようになしてある。なお、仕切部材３３をアルミニウムなどの光反射性材料として、光源からの出射光を効率良く前面に反射させるようにする。
【００４１】
また、バックライトシャーシ３０の前面側（光源１８ａの光照射側）には、光源１８ａからの光を拡散させて一様な平面光とするための拡散シート、光源１８ａからの光の波長（色）を補正する色補正シートなどの光学シート３４が設けられている。
【００４２】
光源駆動部１７は、光源を発光させるのに必要な高圧まで昇圧させるとともに、フリッカを抑制するために周波数を調整する機能を有する。本例では、バックライト装置１８の各光源を独立して点灯及び消灯できるように、各光源への電力供給を制御するためのスイッチング部１７ａを備えている。
【００４３】
スイッチング部１７ａは、図４に示すように、レターボックス表示の際に無映像領域となる光源群Ｒ１と、無映像領域とならない光源群Ｒ２とを独立して点灯及び消灯できるようになっており、ノーマル表示モード時には、光源群Ｒ１及び光源群Ｒ２に光源駆動部１７から電力が供給されるが（図４（ａ））、レターボックス表示モード時には、光源群Ｒ２にのみ光源駆動部１７から電力が供給される（図４（ｂ））。さらに、本発明では、各光源の輝度を調整できるように、印加する電圧及び印加するパルス波の周波数を変更できるようになっている。具体的には、光源駆動部１７は、表示領域に占める無映像領域の面積比に基づいて、無映像領域に該当しない光源群Ｒ２の輝度を調整する。
【００４４】
図５は本発明の実施の形態１に係る表示装置が行なう処理手順を示すフローチャートである。なお、処理手順は一例であり、これに限るものではない。
【００４５】
先ず、無映像信号検出部１４にて映像信号に基づく映像の上下部分に映像が無い無映像信号が映像信号に含まれているか否かを判定する（ステップＳ１）。映像信号に無映像信号が含まれていないと判定された場合（Ｓ１：ＮＯ）、制御部１０は、バックライト系に関する処理を終了する。
【００４６】
一方、映像信号に無映像信号が含まれていると判定された場合（Ｓ１：ＹＥＳ）、制御部１０は、映像信号に含まれている無映像信号に基づいて、液晶パネル１６における無映像領域を判別する（ステップＳ２）。
【００４７】
そして、その無映像領域に対応するバックライト装置１８の光源（光源群Ｒ１）を消灯するように、光源駆動部１７に指示を行ない、光源駆動部１７は制御部１０の指示に従って無映像領域に対応するバックライト装置１８の光源群Ｒ１を消灯させる（ステップＳ３）。
【００４８】
また、制御部１０は、Ｓ３に加えて、無映像領域の面積（例えば、表示領域に占める無映像領域の面積比）に基づいて、無映像領域に該当しないバックライト装置１８の光源（光源群Ｒ２）の輝度を下げるように、光源駆動部１７に指示を行ない、光源駆動部１７は制御部１０の指示に従って無映像領域に該当しないバックライト装置１８の光源群Ｒ２の輝度を下げる（ステップＳ４）。
【００４９】
例えば、図６に示すように、ノーマル表示モードの場合、バックライト装置を構成するすべての光源（光源群Ｒ１及び光源群Ｒ２）に対して駆動信号の供給を行ない、光源群Ｒ１及び光源群Ｒ２を点灯させる（図６（ａ））。一方、レターボックス表示モードの場合、無映像領域に相当する光源（光源群Ｒ１）に対して駆動信号の供給を停止する。これにより、バックライト装置の無映像領域に対応する光源群Ｒ１を消灯することから、無駄な消費電力を削減して省エネルギーを実現することができる。また、無映像領域に該当しないバックライト装置１８の光源（光源群Ｒ２）の輝度Ｂをノーマル表示モード時の輝度Ａよりも低くする（輝度Ｂ＜輝度Ａ）。これにより、光源群Ｒ２への電力供給量が下がることから、さらに消費電力を削減して省エネルギーを実現することができる（図６（ｂ））。
【００５０】
一般にレターボックス方式及びサイドパネル方式などの無映像領域を有する映像においては、通常の表示領域すべてに映像がある場合に比べて、無映像領域の面積分だけ全体の輝度が下がる。観視者は、無映像領域によって強調された映像を見ることになるため、視覚上、映像領域の明るさが上昇することになる。したがって、無映像領域の面積に基づいて、映像領域の輝度を下げても、観視者は特別の違和感を持つことはない。この視覚上の特性を利用して、無映像表示時に映像領域の輝度を下げることにより、バックライト系のさらなる消費電力の削減が可能となる。
【００５１】
（実施の形態２）
図７は本発明の実施の形態２に係る表示装置の構成例を示すブロック図である。
本発明の実施の形態２に係る表示装置は、制御部２０、操作部２１、チューナ部１２、映像信号処理部２３、液晶駆動部１５、液晶パネル１６、光源駆動部１７、バックライト装置１８などを備えている。
【００５２】
制御部２０は、具体的にはＣＰＵで構成されており、上述した各部と接続されていて、それらを制御すると共に、内蔵するＲＯＭに格納された制御プログラムに従って、種々の機能を実行する。
【００５３】
操作部２１は、表示装置を操作するための各種のファンクションキーなどを備えている。本例では、表示モード選択キー２１ａを備えており、観視者により表示モードの指示を受け付ける。表示モードは、例えば、ノーマル表示モード、レターボックス表示モード及びサイドパネル表示モードであり、映像の縦方向及び／又は横方向の映像サイズの設定を観視者より受け付ける。本例では、ノーマル表示モード又はレターボックス表示モードのいずれの表示モードを選択できるものとし、レターボックス表示モード時の表示領域に占める無映像領域の面積比は予めＲＯＭに記憶されているものとする。
【００５４】
映像信号処理部２３は、チューナ部１２によって復調された映像信号に対して各種の処理を行なう。本例では、映像サイズ設定部２３ａを備え、操作部２１にて受け付けた表示モードに従って、映像信号を適宜の映像サイズに設定する処理を行なう。また、色合いなどの画質調整の指示を受け付け、受け付けた画質調整の指示に従って映像信号に適宜の処理を行なうようにしてもよい。
【００５５】
映像信号処理部２３は、観視者によりレターボックス表示モードを受け付けた場合、表示領域の中央部分に映像が配置され、その上下部分に映像が無い無映像領域が配置された表示形態の映像信号に変換する。なお、観視者によりサイドパネル表示モードを受け付けた場合、映像信号処理部２３は、表示領域の中央部分に映像が配置され、その左右部分に映像が無い無映像領域が配置された表示形態の映像信号に変換する。
【００５６】
光源駆動部１７は、実施の形態１と同様に、各光源への電力供給を制御するためのスイッチング部１７ａを備えている。スイッチング部１７ａは、操作部２１にてノーマル表示モードを受け付けた場合、光源群Ｒ１及び光源群Ｒ２に光源駆動部１７から電力を供給するが（図４（ａ））、操作部２１にてレターボックス表示モードを受け付けた場合、光源群Ｒ２にのみ光源駆動部１７から電力を供給する（図４（ｂ））。また、光源駆動部１７は、無映像領域の面積に基づいて無映像領域に該当しない光源群Ｒ２の輝度を調整する。その他の構成は実施の形態１と同様であるので、対応する部分には同一の符号を付してその詳細な説明を省略する。
【００５７】
図８は本発明の実施の形態２に係る表示装置が行なう処理手順を示すフローチャートである。なお、処理手順は一例であり、これに限るものではない。
【００５８】
先ず、操作部２１の表示モード選択キー２１ａにおいて表示モードの指示を観視者により受け付ける（ステップＳ１１）。そして、制御部２０は、受け付けた表示モードがレターボックス表示モードであるか否かを判定する（ステップＳ１２）。受け付けた表示モードがレターボックス表示モードでないと判定された場合（Ｓ１２：ＮＯ）、制御部２０は、バックライト系に関する処理を変えることなく処理を終了する。
【００５９】
一方、受け付けた表示モードがレターボックス表示モードであると判定された場合（Ｓ１２：ＹＥＳ）、映像信号処理部２３は、受け付けた表示モード（すなわちレターボックス表示モード）に従って、映像信号を適宜のサイズに設定する（ステップＳ１３）。
【００６０】
次いで、操作部２１にて受け付けた映像サイズの設定に基づいて、液晶パネル１６における無映像領域を判別する（ステップＳ１４）。そして、制御部２０は、その無映像領域に対応するバックライト装置１８の光源（光源群Ｒ１）を消灯するように、光源駆動部１７に指示を行ない、光源駆動部１７は制御部２０の指示に従って無映像領域に対応するバックライト装置１８の光源群Ｒ１を消灯させる（ステップＳ１５）。これにより、バックライト装置の無映像領域に対応する光源（光源群Ｒ１）を消灯することから、無駄な消費電力を削減して省エネルギーを実現することができる。
【００６１】
また、制御部２０は、Ｓ１５に加えて、無映像領域の面積（例えば、表示領域に占める無映像領域の面積比）に基づいて、無映像領域に該当しないバックライト装置１８の光源（光源群Ｒ２）の輝度を下げるように、光源駆動部１７に指示を行ない、光源駆動部１７は制御部２０の指示に従って無映像領域に該当しないバックライト装置１８の光源群Ｒ２の輝度を下げる（ステップＳ１６）。観視者は、無映像領域によって強調された映像を見ることになるため、視覚上、映像領域の明るさが上昇することになる。実施の形態１と同様、無映像領域の面積に基づいて、映像領域の輝度を下げても、観視者は特別の違和感を持つことはない。この視覚上の特性を利用して、無映像表示時に映像領域の輝度を下げることにより、バックライト系のさらなる消費電力の削減が可能となる。
【００６２】
さらに、映像信号から無映像領域を検出するのではなく、操作部２１にて受け付けた映像サイズの設定に基づいて、液晶パネル１６における無映像領域を判別することから、無映像領域を検出する処理が不要となり、また構成を極めて簡単にすることができる。
【００６３】
なお、実施の形態では、無映像領域が表示領域の左右端部に配置されるレターボックス表示モードの形態について説明したが、サイドパネル表示モードの場合であっても本発明を適用できることは言うまでもない。また、光源として線状光源としてのＣＣＦＬを用いた形態について説明したが、点状光源としてのＬＥＤ、面状光源としてのＥＬなどの光源であってもよい。
【図面の簡単な説明】
【００６４】
【図１】本発明の実施の形態１に係る表示装置の構成例を示すブロック図である。
【図２】液晶物質の電気光学特性の一例を示す特性図である。
【図３】バックライト装置の構成例を示す斜視図である。
【図４】スイッチング部の構成例を示すブロック図である。
【図５】本発明の実施の形態１に係る表示装置が行なう処理手順を示すフローチャートである。
【図６】本発明に係る表示装置が行なう処理を説明するための図である。
【図７】本発明の実施の形態２に係る表示装置の構成例を示すブロック図である。
【図８】本発明の実施の形態２に係る表示装置が行なう処理手順を示すフローチャートである。
【図９】（ａ）レターボックス方式、及び（ｂ）サイドパネル方式を示す説明図である。
【符号の説明】
【００６５】
１０，２０  制御部
１１，２１  操作部
２１ａ  表示モード選択キー
１２  チューナ部
１３，２３  映像信号処理部
２３ａ  映像サイズ設定部
１４  無映像信号検出部
１５  液晶駆動部
１６  液晶パネル
１７  光源駆動部
１７ａ  スイッチング部
１８  バックライト装置
１８ａ  光源
３３  仕切部材
【図１】
0004808073.tif 000002
【図２】
0004808073.tif 000003
【図３】
0004808073.tif 000004
【図４】
0004808073.tif 000005
【図５】
0004808073.tif 000006
【図６】
0004808073.tif 000007
【図７】
0004808073.tif 000008
【図８】
0004808073.tif 000009
【図９】
0004808073.tif 000010